(57)【特許請求の範囲】
【請求項１】
電子機器本体の一側面に記録媒体の装填部を設け、その装填部の上部に使用者の手が挿入されるグリップベルトが取り付けられたグリップベルト取付装置であって、
前記装填部を覆うように回動自在に設けられたカバーと、
前記グリップベルトを保持すべく前記カバー近傍の２カ所に設けられ、前記グリップベルトの一端部及び他端部を挿通して前記グリップベルトを手の挿脱方向に移動自在なように保持する孔を有した保持手段と、
前記保持手段における孔の内部で、かつ前記電子機器本体に対向した部分に配された複数の突起部とを備え、
前記保持手段は、少なくとも前記カバーの回動を妨げない位置へ移動可能とし、
また、前記グリップベルトと前記電子機器本体との間に使用者の手が挿入された時に、前記グリップベルトが前記電子機器本体から離間する方向へ引っ張られることで前記グリップベルトに前記突起部を食い込ませ、前記グリップベルトが手の挿脱方向へ移動するのを禁止することを特徴とするグリップベルト取付装置。
【発明の詳細な説明】
【０００１】
【発明の属する技術分野】
本発明は、カメラ一体型磁気記録再生装置に利用して有効なグリップベルト取付装置に関するものである。
【０００２】
【従来の技術】
以下図面を参照しながら、従来のグリップベルト取付装置について説明する。
【０００３】
図５（ａ）は従来のグリップベルト取付装置が取付けられたカメラ一体型磁気記録再生装置を示す斜視図である。グリップベルトの両端は固定されている。図５（ｂ）は従来のグリップベルト取付装置が取付けられたカメラ一体型磁気記録再生装置を示す斜視図である。使用者は図のようにグリップベルトに手を挿入し、本体を保持する。図５（ｃ）は従来のグリップベルト取付装置が取付けられ側面カバーが開いた状態のカメラ一体型磁気記録再生装置を示す底面よりの斜視図である。図中グリップベルトと側面カバーは干渉している。
【０００４】
図５において、２はビデオカメラ本体、１はビデオカメラ本体２の側面に配され使用者の手を保持するグリップベルト、５は操作することにより撮影の開始／停止を制御可能な撮影釦、６及び７はビデオカメラ本体２の上面付近に配されズーミング操作やスチル撮影が可能なズームレバー及びフォトショット釦、８は開くことによりビデオカメラ本体２内にテープカセットを装填可能な側面カバーで、ビデオカメラ本体２においてグリップベルト１が設けられた面と同じ面に設けられている。９はカセット装着部分の底面側を覆う底面カバー、１０は側面カバー８及び底面カバー９が開くことによりビデオカメラ本体２内に装填可能なテープカセットである。
【０００５】
以上のように構成された従来のグリップベルト取付装置について、以下その動作について説明する。
【０００６】
まず、図５（ａ）に示すような状態からエジェクト釦（図示せず）を押すことにより、側面カバー８及び底面カバー９が図５（ｃ）のように開く。そして、ビデオカメラ本体２内のカセットホルダーにテープカセット１０を挿入し、側面カバー８を閉めることにより、テープカセット１０がビデオカメラ本体２内の所定の位置に装填される。その後、使用者は図５（ｂ）に示すように、グリップベルト１とビデオカメラ本体２との間に手を挿入し、ビデオカメラ本体２を保持して撮影可能状態となる。
【０００７】
次に、ビデオカメラ本体２内からテープカセット１０を取り出す時は、手をグリップベルト１から抜き、側面カバー８が開いた時のスペースを確保するために、グリップベルト１の張力を少し緩め、矢印Ｙ方向へ少し変位させる。そして、エジェクト釦を操作することにより、内部モータが作動し、側面カバー８及び底面カバー９が開き、テープカセット１０が取り出し可能状態となる。
【０００８】
【発明が解決しようとする課題】
しかしながら上記の構成では、図５（ｃ）のようにテープカセット１０を取り出す時に、グリップベルト１が側面カバー８に当接しないように、グリップベルト１の張力を緩めて矢印Ｙ方向へ変位させなければならず、非常に煩雑であるという問題点を有していた。
【０００９】
本発明は上記問題点に鑑み、グリップベルトを前後を上下方向に移動自在に取り付け、グリップベルトと側面カバーが干渉すること無くカセットの取り出しが可能になり、操作性向上が図れるとともに、使用者の手指の長さの差によるホールド感の調整でき、調整後のグリップベルトを安定させることができるグリップベルト取付装置を提供するものである。
【００１０】
【課題を解決するための手段】
上記課題を解決するために本発明のグリップベルト取付装置は、電子機器本体の一側面に記録媒体の装填部を設け、その装填部の上部に使用者の手が挿入されるグリップベルトが取り付けられたグリップベルト取付装置であって、
前記装填部を覆うように回動自在に設けられたカバーと、
前記グリップベルトを保持すべく前記カバー近傍の２カ所に設けられ、前記グリップベルトの一端部及び他端部を挿通して前記グリップベルトを手の挿脱方向に移動自在なように保持する孔を有した保持手段と、
前記保持手段における孔の内部で、かつ前記電子機器本体に対向した部分に配された複数の突起部とを備え、
前記保持手段は、少なくとも前記カバーの回動を妨げない位置へ移動可能とし、
また、前記グリップベルトと前記電子機器本体との間に使用者の手が挿入された時に、前記グリップベルトが前記電子機器本体から離間する方向へ引っ張られることで前記グリップベルトに前記突起部を食い込ませ、前記グリップベルトが手の挿脱方向へ移動するのを禁止するものである。
【００１１】
そしてこのような構成により、グリップベルトを前後を上下方向に移動自在に取り付け、グリップベルトと側面カバーが干渉すること無くカセットの取り出しが可能になり、操作性向上が図れる。また、使用者の手指の長さの差によるホールド感の調整をすることが可能なグリップベルト取付装置を提供することができる。
【００１２】
【発明の実施の形態】
本発明の請求項１に記載の発明は、電子機器本体の一側面に記録媒体の装填部を設け、その装填部の上部に使用者の手が挿入されるグリップベルトが取り付けられたグリップベルト取付装置であって、
前記装填部を覆うように回動自在に設けられたカバーと、
前記グリップベルトを保持すべく前記カバー近傍の２カ所に設けられ、前記グリップベルトの一端部及び他端部を挿通して前記グリップベルトを手の挿脱方向に移動自在なように保持する孔を有した保持手段と、
前記保持手段における孔の内部で、かつ前記電子機器本体に対向した部分に配された複数の突起部とを備え、
前記保持手段は、少なくとも前記カバーの回動を妨げない位置へ移動可能とし、
また、前記グリップベルトと前記電子機器本体との間に使用者の手が挿入された時に、前記グリップベルトが前記電子機器本体から離間する方向へ引っ張られることで前記グリップベルトに前記突起部を食い込ませ、前記グリップベルトが手の挿脱方向へ移動するのを禁止するものであり、このような構成により、カバーを開いて記録媒体を取り出す時に、容易にグリップベルトを移動させることができるとともに、電子機器本体の使用時はグリップベルトの移動を禁止して安定した操作を行えるものである。
【００１３】
以下、本発明のグリップベルト取付装置の実施の形態について、図面を参照しながら説明する。
【００１４】
（実施の形態）
図１は本発明の実施の形態のグリップベルト取付装置を備えたカメラ一体型磁気記録再生装置の構成を示す斜視図である。図２は本実施の形態のグリップベルト近傍の分解斜視図、図３は本実施の形態の概略構成を示す要部縦断面図である。図において、２は電子機器本体であるビデオカメラ本体、１はビデオカメラ本体２の側面に配され使用者の手を保持するグリップベルト、１ａはグリップベルト１の他端部をループ状にして設けられたループ部、５は操作することにより撮影の開始／停止を制御可能な撮影釦、６及び７はビデオカメラ本体２の上面付近に配されズーミング操作やスチル撮影が可能なズームレバー及びフォトショット釦、８はビデオカメラ本体２のテープカセットの装填部を覆うように設けられた側面カバーで、ビデオカメラ本体２においてグリップベルト１が設けられた面と同じ面に設けられている。９はカセット装着部分の底面側を覆う底面カバー、１０は側面カバー８及び底面カバー９が開くことによりビデオカメラ本体２内に装填可能な記録媒体であるテープカセットである。
３はビデオカメラ本体２のカバー４にグリップベルト１の一端部を取り付けるための略コ字状をした取付部材で、その長辺部分の長さは少なくともグリップベルト１の幅よりも大きくした構成となっている。取付部材３は、図２に示すようにまずグリップベルト１のループ部１ａに挿通し、次に固定用ビス１１を取付用透孔２ｃ及び凹部４ａの孔を挿通させてボス部３ａに螺合させることで、カバー４に固定される。この時、取付部材３は略コ字状をしているため、図３に示すようにカバー４との間に少なくともグリップベルト１を挿通可能な孔（間隙）が生じる。また、図３に示すように、取付部材３における、カバー４に対向する内面には、移動禁止手段である突起部３ｂが複数配されている。突起部３ｂは、グリップベルト１が図３（ａ）に示す位置から図３（ｂ）に示す位置までの移動範囲において、任意の位置でグリップベルト１に食い込み可能な範囲に設けられている。この突起部３ｂは、グリップベルト１とビデオカメラ本体２との間に使用者の手が挿入された時に、グリップベルト１にかかる負荷によってグリップベルト１が図３（ａ）の矢印Ｂ方向（ビデオカメラ本体２から離間する方向）へ引っ張られ、グリップベルト１に突起部３ｂが食い込むことにより、使用者の手の挿脱方向である上下方向（図３（ａ）の矢印Ａ方向）の移動を禁止するものである。
２ａは長穴が開口しグリップベルト１の他端部を保持する取付フックで、長孔の長手方向の幅は少なくともグリップベルト１の幅よりも大きい構成となっている。ここで、取付部材３と取付フック２ａとは、カセット挿入口である側面カバー８を挟んで対向した位置に配されている。また、取付フック２ａと取付部材３とで、グリップベルト１の保持手段を形成している。
【００１５】
以上のように構成された本実施の形態のグリップベルト取付装置について、以下その動作について説明する。
【００１６】
まず、図１（ａ）に示すような状態からエジェクト釦（図示せず）を押すことにより、側面カバー８及び底面カバー９が図１（ｂ）のように開く。そして、ビデオカメラ本体２内のカセットホルダーにテープカセット１０を挿入し、側面カバー８を閉めることにより、テープカセット１０がビデオカメラ本体２内の所定の位置に装填される。その後、使用者はグリップベルト１とビデオカメラ本体２との間に手を挿入し、ビデオカメラ本体２を保持して撮影可能状態となる。
【００１７】
次に、ビデオカメラ本体２内からテープカセット１０を取り出す時は、手をグリップベルト１から抜き、側面カバー８が開いた時のスペースを確保するために、グリップベルト１を矢印Ｚ方向へ変位させる。そして、エジェクト釦を操作することにより、内部モータが作動し、側面カバー８及び底面カバー９が開き、テープカセット１０が取り出し可能状態となる。
【００１８】
次に、グリップベルトの構成について詳述する。
図３（ａ）は、グリップベルト１が取付フック２ａ及び取付部材３（説明の便宜上、図３には取付部材３のみ記載）の最下端に位置する状態を表わす縦断面図である。図中グリップベルト１のループ部１ｂに通された取付部材３は、矢印Ｂ方向に無負荷の状態（グリップベルト１とカバー４との間に、使用者の手を挿入していない状態）では矢印Ａ方向に移動自在である。つまり、図３（ａ）に示す状態でグリップベルト１を上下方向に移動することにより、使用者にとって撮影／停止釦５やズームレバー６やフォトショット釦７の位置にフィットするように調節することが可能な構成である。そして、撮影時は手のひらをカバー４とグリップベルト１のパッド部１ｂの間に挿入するため、ビデオカメラ本体２の自重や、使用者の手に加わる力などにより、グリップベルト１には常時矢印Ｂ方向に負荷がかかり、取付部材３に形成された突起３ｂがグリップベルト１のループ部１ａ表面に食い込み、グリップベルト１の矢印Ａ方向への移動が規制され、グリップベルト１がＡ方向にずれることはない。よって、安定した撮影が可能になるというものである。
【００１９】
図３（ｂ）は、グリップベルト１が最上端の状態を表わす縦断面図であり、テープカセットの着脱可能な状態でもある。側面カバー８は、エジェクト釦を操作することによりテープローディングのメカニズムが動作してカセットホルダーがせり出してきた後に矢印Ｅ方向へ回動し、矢印Ｄのようにテープカセット１０の着脱が可能な状態になる。この時グリップベルト１は、使用者の手が挿入されていない状態なので、グリップベルト１には負荷はかかっておらず、矢印Ｃ方向に移動させておく。よって、グリップベルト１が側面カバー８の回動の妨げになることはない。
【００２０】
図４に示すように取付フック２ａ側も同様に、手のひらをグリップベルト１とビデオカメラ本体２との間に挿入し、グリップベルト１に対して矢印Ｇ方向に力がかかっている時は、本体ケース２の取付フック２ａに形成された複数の突起部２ｂにグリップベルト１が食い込むため、グリップベルト１は矢印Ｆ方向には移動することができず、撮影時に安定する。また、矢印Ｇ方向に無負荷の状態（手のひらをグリップベルト１に通していない時）は図のように、取付フック２ａの上端まで移動可能なので、図３（ｂ）に示したように側面カバー８とグリップベルト１とは干渉しない。
【００２１】
以上のように本実施の形態によれば、グリップベルト１を側面カバー８を挟んで上下に移動可能にしたことにより、側面カバー８が開いた時の干渉を防止できるとともに、取付フック２ａ及び取付部材３の内側には複数の突起部が設けられていることにより、グリップベルト１とビデオカメラ本体２との間に手を挿入して撮影する時に、グリップベルト１が上下に移動せず安定するという効果が得られる。
【００２２】
【発明の効果】
以上のように本発明は、グリップベルトを前側・後側とも上下方向に移動自在に取り付けるとともに、グリップベルト内に使用者の手を挿入した状態において、グリップベルトの上下方向への移動を禁止することができるので、撮影時の操作性を犠牲にせず、カセットの着脱を容易に行うことができるという優れた効果が得られる。
【図面の簡単な説明】
【図１】  本発明の実施の形態におけるグリップベルト取付装置の構成を示す斜視図
【図２】  同実施の形態のグリップベルト取付装置の分解斜視図
【図３】  同実施の形態のグリップベルト近傍の要部縦断面図
【図４】  （ａ）  同実施の形態のビデオカメラ装置を示す側面図
（ｂ）  同実施の形態におけるグリップベルト近傍の構成を示す要部側面図
【図５】  従来のグリップベルト取付装置の構成を示す斜視図
【符号の説明】
１  グリップベルト
２  本体ケース
３  取付部材
４  カバー
８  側面カバー
９  底面カバー
【図１】
0003654020.tif 000002
【図２】
0003654020.tif 000003
【図３】
0003654020.tif 000004
【図４】
0003654020.tif 000005
【図５】
0003654020.tif 000006